(57)【特許請求の範囲】
【請求項１】
開閉可能なカバーを備え、本体に固定され、仮止め可能な取付ネジを備えた本体固定金具と、前記カバーに固定され、前記カバーを閉じるときに前記取付ネジに嵌る溝を備えたカバー固定金具により前記カバーを固定する自動取引装置であって、
前記カバー固定金具は、先端に引っ掛け手段を備え、
前記カバーを閉めるときに前記カバー固定金具の前記引っ掛け手段を前記本体固定金具に乗り上げさせて進み、前記本体固定金具を越えたときに前記引っ掛け手段により前記本体固定金具に引っ掛けて前記カバーが開かないようにしたことを特徴とする自動取引装置。
【請求項２】
前記引っ掛け手段は、前記カバー固定金具の先端をつぶし曲げて成したつぶし曲げ部としたことを特徴とする請求項１記載の自動取引装置。
【請求項３】
前記引っ掛け手段は、前記カバー固定金具の先端の一部を打ち出して成した打ち出し部としたことを特徴とする請求項１記載の自動取引装置。
【請求項４】
開閉可能なカバーを備え、本体に固定した本体固定金具と、前記カバーに固定されたカバー固定金具により前記カバーを固定する自動取引装置であって、
前記本体固定金具は、突起部を備え、
前記カバー固定金具は、先端を曲げて成した斜め曲げ部と、前記カバーを閉めたときに前記突起部と嵌合する角穴からなる引っ掛け手段を備え、  
前記カバーを閉めるときに前記カバー固定金具の前記引っ掛け手段を前記本体固定金具に乗り上げさせて進み、前記本体固定金具を越えたときに前記引っ掛け手段により前記本体固定金具の前記突起部に引っ掛けて前記カバーが開かないようにしたことを特徴とする自動取引装置。
【発明の詳細な説明】
【技術分野】
【０００１】
本発明は、現金自動預払機や現金処理装置などの自動取引装置のカバーの取付構造に関するものである。
【背景技術】
【０００２】
一般に、現金自動預払機などの自動取引装置では、硬貨や紙幣の現金の入出金処理を行う入出金部、取引の操作を行う操作部、キャッシュカードのリードライト等を行うカード処理部を備え、さらに通帳を取扱う場合では印字部、磁気ストライプリードライト部、改頁部等を備える。
【０００３】
そして、現金の補充やジャム除去などの保守を行うために、開閉扉を備え、セキュリティを考慮して各扉に鍵や電磁ロックによる錠解除機構を備えるようになっている（例えば、特許文献１参照）。
【０００４】
そして、背面側を壁で保護して設置する自動取引装置では、図４に示したように、上部側は、施錠可能でｚ部を支点とし矢印Ｂのように開くアッパー扉部１５、前面側には、施錠可能な左右扉部２、３を具備し、背面側は、組立性を優先し、施錠する構成とはせず、矢印Ｃおよび矢印Ｒのように開閉し、本体に固定された本体固定金具１１と背面カバー４に固定されたカバー固定金具１７を取付ネジで固定できる構成となっている。
【０００５】
すなわち、図５に示したように、本体固定金具１１に取付ネジ１６を仮止めして備え、カバー固定金具１７にはＵ溝５を設け、矢印Ｃのように背面カバー４を閉じるときに、本体固定金具１１の取付ネジ１６にカバー固定金具１７のＵ溝５が嵌り、本体固定金具１１に仮止めされた取付ネジ１６を締めることによりカバー固定金具１７と本体固定金具１１を固定できる構成となっている。
【０００６】
このように、本体固定金具１１の取付ネジ１６を仮止めとし、カバー固定金具１７のネジ穴をＵ溝５とすることにより背面カバー４の組み立てを容易にするようにしている。
【先行技術文献】
【特許文献】
【０００７】
【特許文献１】特開平６−２７２４５３号公報
【発明の概要】
【発明が解決しようとする課題】
【０００８】
しかしながら、従来の自動取引装置１では、以上のような構成とすることにより、背面カバー４の組立ては容易となるが、自動取引装置ごと盗まれたり背面側に入り込まれたりして、背面カバー４を図６の矢印Ｒのように強く背面側に引っ張られると、装置本体から背面カバー４が外れてしまい装置内部の現金を盗まれてしまう恐れがあり、高いセキュリティを維持することができないという問題があった。
【課題を解決するための手段】
【０００９】
本発明は、前述の課題を解決するため次の構成を採用する。すなわち、開閉可能なカバーを備え、本体に固定され、仮止め可能な取付ネジを備えた本体固定金具と、前記カバーに固定され、前記カバーを閉じるときに前記取付ネジに嵌る溝を備えたカバー固定金具により前記カバーを固定する自動取引装置であって、前記カバー固定金具は、先端に引っ掛け手段を備え、前記カバーを閉めるときに前記カバー固定金具の前記引っ掛け手段を前記本体固定金具に乗り上げさせて進み、前記本体固定金具を越えたときに前記引っ掛け手段により前記本体固定金具に引っ掛けて前記カバーが開かないようにした。
【発明の効果】
【００１０】
本発明の自動取引装置によれば、以上のように構成したので、組み立てが容易で、かつ、カバーを強く引っ張られてもカバーが外れることがなく、高いセキュリティを維持することができる。
【図面の簡単な説明】
【００１１】
【図１】実施例１の自動取引装置の要部構成および動作説明図である。
【図２】実施例２の自動取引装置の要部構成および動作説明図である。
【図３】実施例３の自動取引装置の要部構成および動作説明図である。
【図４】自動取引装置の外観構成および動作説明図である。
【図５】従来の自動取引装置の要部構成および動作説明図である。
【図６】従来の自動取引装置の要部構成および動作説明図である。
【発明を実施するための形態】
【００１２】
以下、本発明に係わる実施の形態例を、図面を用いて説明する。図面に共通する要素には同一の符号を付す。なお、自動取引装置の外観構成は図４を用いて説明した従来の自動取引装置と同様であるので簡略化のためにその詳細な説明は省略する。
【実施例１】
【００１３】
（構成）
図１は、実施例１の自動取引装置１の要部構成を示す構成図である。同図に示したように、実施例１の自動取引装置１の背面カバー４の固定にかかる構成は、本体に固定された本体固定金具１１と背面カバー４に固定されたカバー固定金具１７を取付ネジで固定できる構成とし、本体固定金具１１に取付ネジ１６を仮止めして備え、カバー固定金具１７にはＵ溝５および先端に引っ掛け手段としてのつぶし曲げ部６を備えた構成となっている。
【００１４】
（動作）
以上の構成により実施例１の自動取引装置は以下のように動作する。この動作を、図１を用いて以下詳細に説明する。
【００１５】
実施例１の自動取引装置１は、背面カバー４に固定されたカバー固定金具１７の先端につぶし曲げ部６が設けられているので、図１（ｃ）矢印Ｃのように背面カバー４を閉じると、つぶし曲げ部６が破線のように本体固定金具１１の上に乗り上げ、カバー固定金具１７のＵ溝５が取付ネジ１６のネジ部に嵌りながらさらに進み、つぶし曲げ部６が本体固定金具１１を過ぎると矢印Ｄのように落下し、本体固定金具１１に引っ掛かる。
【００１６】
そして、取付ネジ１６を締めてカバー固定金具１７と本体固定金具１１を固定して背面カバー４を装置本体に固定する。
【００１７】
すると、図１（ｂ）の破線矢印Ｒのように背面側に背面カバー４を強く引いてカバー固定金具１７が移動しても、つぶし曲げ部６のａ部が本体固定金具１１のｂ部にぶつかりそれ以上背面側に移動することがなく、背面カバー４がはずれることがない。
【００１８】
なお、以上の説明では、図１（ａ）のようにつぶし曲げ部６を、Ｕ溝５を挟んで２箇所設ける例を示したが説明したが、いずれか１箇所のみ設けるようにしてもよい。
【００１９】
（実施例１の効果）
以上のように、実施例１の自動取引装置によれば、開閉可能な背面カバーを備え、本体に固定した本体固定金具と、前記背面カバーに固定されたカバー固定金具により前記背面カバーを固定する自動取引装置であって、前記カバー固定金具は、先端につぶし曲げ部を備え、前記背面カバーを閉めるときに前記カバー固定金具の前記つぶし曲げ部を前記本体固定金具に乗り上げさせて進み、前記本体固定金具を越えたときに前記つぶし曲げ部により前記本体固定金具に引っ掛けて前記背面カバーが開かないようにしたので、組み立てが容易で、かつ、背面カバーに強い外力が働いた場合でも背面カバーが外れることがなく、高いセキュリティを維持することができる。
【実施例２】
【００２０】
（構成）
図２は、実施例２の自動取引装置１の要部構成を示す構成図である。同図に示したように、実施例２の自動取引装置１の背面カバー４の固定にかかる構成は、背面カバー４に固定されるカバー固定金具１７の先端に引っ掛け手段としての打ち出し部７を設けた構成となっている。その他の構成は実施例１の構成と同様であるので簡略化のためにその詳細な説明は省略する。
【００２１】
（動作）
以上の構成により実施例２の自動取引装置は、以下のように動作する。この動作を、同図を用いて以下詳細に説明する。
【００２２】
実施例２の自動取引装置１は、背面カバー４に固定されたカバー固定金具１７の先端につぶし曲げ部６が設けられているので、図２（ｃ）矢印Ｃのように閉じると、カバー固定金具１７の先端に設けられた打ち出し部７が破線のように本体固定金具１１の上に乗り上げ、カバー固定金具１７のＵ溝５が取付ネジ１６のネジ部に嵌まりながらさらに進み、打ち出し部７が本体固定金具１１を過ぎると矢印Ｄのように落下し、本体固定金具１１に引っ掛かる。
【００２３】
そして、取付ネジ１６を締めてカバー固定金具１７と本体固定金具１１を固定して背面カバー４を装置本体に固定する。
【００２４】
すると、図２（ｂ）の破線矢印Ｒのように背面側に背面カバー４を強く引いてカバー固定金具１７が移動しても、打ち出し部７のｃ部が本体固定金具１１のｂ部にぶつかりそれ以上背面側に移動することがなく、背面カバー４がはずれることがない。
【００２５】
なお、以上の説明では、打ち出し部７を１つ設けるように説明したが、複数設けるようにしてもよい。すなわち、複数設けるようにすれば、背面側に背面カバー４を強く引いたときに、複数の打ち出し部７ｃ部が本体固定金具１１のｂ部にそれぞれぶつかり、それ以上背面側に移動することを確実に防止でき、背面カバー４が外れることを確実に防止することができる。
【００２６】
（実施例２の効果）
以上のように、実施例２の自動取引装置によれば、開閉可能な背面カバーを備え、本体に固定した本体固定金具と、前記背面カバーに固定されたカバー固定金具により前記背面カバーを固定する自動取引装置であって、前記カバー固定金具は、先端に打ち出し部を備え、前記背面カバーを閉めるときに前記カバー固定金具の前記打ち出し部を前記本体固定金具に乗り上げさせて進み、前記本体固定金具を越えたときに前記打ち出し部により前記本体固定金具に引っ掛けて前記背面カバーが開かないようにしたので、組み立てが容易で、かつ、背面カバーに強い外力が働いた場合でも背面カバーが外れることがなく、高いセキュリティを維持することができる。
【００２７】
また、カバー固定金具の先端に打ち出し部を設ける構成としたので、カバー固定金具の製造工程において、曲げ加工と打ち出しを同時に行いことができ、製造工程を少なくできるという効果もある。
【実施例３】
【００２８】
（構成）
図３は、実施例３の自動取引装置の要部構成を示す構成図である。同図に示したように、実施例３の自動取引装置１の背面カバー４の固定にかかる構成は、背面カバー４に固定されるカバー固定金具１７の先端側に引っ掛け手段としての斜め曲げ部８と角穴９を設け、一方、本体固定金具１１の先端に突起部１０を設けた構成となっている。その他の構成は実施例１の構成と同様であるので簡略化のためにその詳細な説明は省略する。
【００２９】
（動作）
以上の構成により実施例３の自動取引装置は、以下のように動作する。この動作を、同図を用いて以下詳細に説明する。
【００３０】
実施例３の自動取引装置は、背面カバー４に固定されたカバー固定金具１７の先端に斜め曲げ部８が設けられているので、図３（ｃ）矢印Ｃのように背面カバー４を閉じると、斜め曲げ部８が破線のように最初に本体固定金具１１の上に乗り上げ、カバー固定金具１７のＵ溝５が取付ネジ１６のネジ部に嵌まりながらさらに進み、本体固定金具１１の先端の突起部１０に乗り上げこれを過ぎると角穴９に突起部１０が嵌って矢印Ｄのようにカバー固定金具１７が落下し、図３（ｂ）の状態となり、本体固定金具１１に引っ掛かる。
【００３１】
そして、取付ネジ１６を締めてカバー固定金具１７と本体固定金具１１を固定して背面カバー４を装置本体に固定する。
【００３２】
すると、図３（ｂ）の破線矢印Ｒのように背面側に背面カバー４を強く引いてカバー固定金具１７が移動しても、カバー固定金具１７の角穴９のｄ部が突起部１０のｅ部にぶつかりそれ以上背面側に移動することがなく、背面カバー４がはずれることがない。
【００３３】
なお、以上の説明では、角穴９、突起部１０をそれぞれ１箇所設けるように説明したが、複数設けるようにしてもよい。すなわち、複数設けるようにすれば、背面側に背面カバー４を強く引いたときに、複数の角穴９のｄ部がそれぞれの突起部１０のｅ部にぶつかり、それ以上背面側に移動することを確実に防止することができ、背面カバー４が外れることを確実に防止することができる。
【００３４】
（実施例３の効果）
以上のように実施例３の自動取引装置によれば、開閉可能な背面カバーを備え、本体に固定した本体固定金具と、前記背面カバーに固定されたカバー固定金具により前記背面カバーを固定する自動取引装置であって、前記本体固定金具は、突起部を備え、前記カバー固定金具は、前記カバー固定金具の先端を曲げて成した斜め曲げ部と、角穴を備え、前記背面カバーを閉めるときに前記背面カバー固定金具の前記斜め曲げ部を前記本体固定金具に乗り上げさせて進み、前記背面カバーを閉めたときに前記突起部と前記角穴を嵌合させ前記本体固定金具に引っ掛けて前記背面カバーが開かないようにしたので、実施例１と同様、組み立てが容易で、かつ、背面カバーに強い外力が働いた場合でも背面カバーが外れることがなく、高いセキュリティを維持することができる。
【００３５】
《その他の変形例》
以上の実施例の説明では、図４（ｃ）に示したように、背面カバー４に固定するカバー固定金具１７および対向する装置側位置に本体固定金具を２個設ける例として説明したが、中央部等に１個のみ設けた場合でも、３個以上設けた場合でも本発明を適用することができる。
【００３６】
また、以上の実施例の説明では、開閉可能なカバーとして背面カバー４を例として説明したが、装置前面側に備える前面カバーや装置上面側に備える上面カバーにも本発明を適用することができる。
【００３７】
また、以上の実施例の説明では、カバー固定金具１７に設けたＵ溝５に取付ネジ１６を嵌め、取付ネジ１６を締めて装置本体と背面カバー４を固定する例を説明したが、Ｕ溝、取付ネジ１６を設けない構成とし、つぶし曲げ部６、打ち出し部７、角穴９のみにより本体固定金具１１に引っ掛けるようにしてもよい。
【００３８】
また、以上の実施例の説明では、本体固定金具１１をコ型形状として説明したが、つぶし曲げ部６、打ち出し部７等を引っ掛けるようにできればよく、矩形としてもよいしその他の形状としてもよい。
【００３９】
また、以上の実施例の説明では、背面カバー４の上部を開く構成の例を説明したが、左右端を支点として左右に開く構成のものであってもよいし、中央を開く観音開きとする構成のものであってもよい。この場合、左端若しくは右端または中央部にカバー固定金具１７をそれぞれ設けるようにすればよい。
【００４０】
また、以上の実施例の説明では、カバー固定金具１７の一方の側を背面カバー４に固着させ他方の側を装置前面方向に曲げた形状のカバー固定金具１７を例として説明したが、他方の側を側面に沿って曲げた形状として実施例と同様にその先端につぶし曲げ部６、打ち出し部７等を設け、装置本体側面に備えた本体固定金具に引っ掛けるようにしてもよい。
【００４１】
また、以上の実施例および変形例をそれぞれ別に実施するのではなく、本発明の趣旨に基づいてこれらを組み合わせるようにしてもよい。
【００４２】
例えば、カバー固定金具１７の先端側の一方を図１の実施例１のようなつぶし曲げ部６とし他方を図２の実施例２のような打ち出し部７を設けるようにしてもよい。或いは、カバー固定金具１７の先端側の一方を実施例１のようなつぶし曲げ部６とし他方を図３の実施例３のような斜め曲げ部８、角穴９を設ける構成としてもよい。或いは、カバー固定金具１７の先端側の一方を実施例２のような打ち出し部７とし他方を実施例３のような斜め曲げ部８、角穴９を設けた構成としてもよい。
【産業上の利用可能性】
【００４３】
本発明は、背面カバーを有する現金自動預払機や現金処理装置などの自動取引装置に広く用いることができる。
【符号の説明】
【００４４】
１    自動取引装置
２    右扉
３    左扉
４    背面カバー
５    Ｕ溝
６    つぶし曲げ部
７    打ち出し部
８    斜め曲げ部
９    角穴
１０  突起部
１１  本体固定金具
１６  取付ネジ
１７  カバー固定金具
【図１】
0005716590.tif 000002
【図２】
0005716590.tif 000003
【図３】
0005716590.tif 000004
【図４】
0005716590.tif 000005
【図５】
0005716590.tif 000006
【図６】
0005716590.tif 000007